(57)【特許請求の範囲】
【請求項１】
軸部分が中空部となっており巻芯を有さないコアレスロール紙を梱包するための構造であって、
ロール紙を収納するための外箱と、
前記外箱内に嵌合するような外形を有し、前記外箱内の底面に配置される下基台部材と、
前記外箱内に嵌合するような外形を有し、前記下基台部材との間でロール紙を挟持するよう前記外箱内であって前記下基台部材の上方に取り外し可能に固定される上基台部材と、
前記下基台部材と上基台部材との間を延びて前記下基台部材及び上基台部材に両端部が固定されるとともに前記下基台部材及び上基台部材の少なくとも一方と取り外し可能であり、ロール紙の中空部の内径と合致するような外径を有する棒状部材と、を備え、
前記下基台部材及び上基台部材は、ロール紙と対向する領域の外周縁部に沿うように、または前記外周縁部よりも一回り大きい円周を画定するように、切り込みが形成されている、ロール紙の梱包構造。
【請求項２】
前記切り込みは、断続的に形成されている、請求項１に記載のロール紙の梱包構造。
【請求項３】
前記下基台部材及び上基台部材の少なくとも一方は、前記棒状部材の外径と合致するような内径を有する凹部が形成されており、該凹部内に前記棒状部材の端部が挿入されている、請求項１又は２に記載のロール紙の梱包構造。
【請求項４】
前記上基台部材上に載置され、内部に被収納物を収納する収納箱をさらに備えており、
前記収納箱及び内部に収納された被収納物の自重によって前記上基台部材を下基台部材側に押さえる、請求項１から３のいずれかに記載のロール紙の梱包構造。
【発明の詳細な説明】
【技術分野】
【０００１】
本発明は、ロール紙の梱包構造に関するものであり、より詳細には巻芯を有さないコアレスロール紙の梱包構造に関するものである。
【背景技術】
【０００２】
従来より、業務用プリンタなどの記録装置にロール紙が用いられているが、コスト削減や省資源化などからの要求により、例えば特許文献１に示されるような、巻芯を省略したコアレスロール紙が普及している。このようなコアレスロール紙は巻芯がないため、従来から使用されてきた梱包構造、すなわちロール紙を収納する外箱内に設置された保持部材によってロール紙の巻芯を両端から保持するというな梱包構造（例えば、特許文献２）を用いることができない。そこで、コアレスロール紙の梱包構造として、コアレスロール紙の両端部において外周面を保持する保持部材を外箱内に設置するという梱包構造が考えられる。
【特許文献１】実公平７−４２７６６号公報
【特許文献２】特開平７−６９３４１号公報
【発明の開示】
【発明が解決しようとする課題】
【０００３】
しかしながら、上述したような、保持部材がロール紙の外周面を保持するタイプの梱包構造では、その保持する部分の強度を保つために、巻芯を保持するタイプの保持部材に比べて大きくする必要があり、その結果、保持部材が設置される外箱も大きくなり、輸送コストが増加するという問題が発生する。
【０００４】
そこで、本発明は、輸送コストを維持しつつ、コアレスロール紙を保持することのできる、ロール紙の梱包構造を提供することを課題とする。
【課題を解決するための手段】
【０００５】
本発明に係るロール紙の梱包構造は、上記課題を解決するためになされたものであり、軸部分が中空部となっており巻芯を有さないコアレスロール紙を梱包するための構造であって、ロール紙を収納するための外箱と、前記外箱内に嵌合するような外形を有し、前記外箱内の底面に配置される下基台部材と、前記外箱内に嵌合するような外形を有し、前記下基台部材との間でロール紙を挟持するよう前記外箱内であって前記下基台部材の上方に取り外し可能に固定される上基台部材と、前記下基台部材と上基台部材との間を延びて前記下基台部材及び上基台部材に両端部が固定されるとともに前記下基台部材及び上基台部材の少なくとも一方と取り外し可能であり、ロール紙の中空部の内径と合致するような外径を有する棒状部材と、を備え、前記下基台部材及び上基台部材は、ロール紙と対向する領域の外周縁部に沿うように、または前記外周縁部よりも一回り大きい円周を画定するように、切り込みが形成されている。
【０００６】
この構成によれば、外箱内に嵌合するような外形を有して外箱内に取り外し可能に固定された下基台部材及び上基台部材に、棒状部材がその両端部を固定されている。この棒状部材は、ロール紙の中空部の内径と合致するような外径を有しているため、ロール紙の中空部に棒状部材を挿入するようにロール紙を外箱内に収納することによって、ロール紙を外箱内に固定することができる。このように、棒状部材によってロール紙を固定しているため、下基台部材や上基台部材でロール紙の外周面を保持する必要がなく、その結果、下基台部材や上基台部材の大きさを小さくすることができる。また、下基台部材及び上基台部材は上下よりロール紙を挟持しているが、下基台部材及び上基台部材のロール紙と対向する領域の外周縁部に沿うよう、もしくは外周縁部より一回り大きい円周を画定するように切り込みが形成されている。このように切り込みによって画定された領域の外周縁部は凹みやすくなっているため、外箱内に収納されたロール紙が上下方向に移動しようとした場合や、ロール紙の上面又は下面のエッジ部分を基点としてロール紙が傾くような動きをした場合であっても、これらロール紙の動きを吸収して、各基台部材と接しているロール紙の上面や下面又はこれらのエッジ部分にかかる圧力を緩和することができる。
【０００７】
なお、上記棒状部材の「ロール紙の中空部の内径と合致するような外径」とは、棒状部材の外径と中空部の内径とが全く同一の寸法である必要はなく、棒状部材の外径と中空部の内径との差は±０．３〜１ｍｍ、好ましくは±０．３〜０．５ｍｍ以内であればよい。また、下基台部材や上基台部材は、外箱内に嵌合するような外形を有しているが、この「嵌合するような外形」とは、下基台部材や上基台部材の外形が、外箱の横断面の寸法と全く同一の寸法である必要はなく、下基台部材や上基台部材が外箱内で安定して水平方向に固定されていれば、多少の隙間があってもよい。さらには、上記切り込みは、ロール紙と対向する領域の外周縁部に沿うように、または外周縁部よりも一回り大きい円周を画定するように形成されているが、この「一回り大きい円周」とは、梱包されるロール紙の直径よりも０．０５〜５ｍｍ程度大きい円周のことをいう。
【０００８】
上記梱包構造は種々の構成をとることができるが、例えば、上記切り込みを断続的に形成することが好ましい。このように構成することで、基台部の切り込みに囲まれた部分とその他の部分とが一体的に形成されるので各基台部材の取り扱いが容易となる。また切り込みを入れることにより切り込み部分から落下する際にかかる力の逃げ道となり、それ以外の部分は接合されているので、強度が増し、落下した際にも変形しない。
【０００９】
また、上記下基台部材及び上基台部材の少なくとも一方は、棒状部材の外径と合致するような内径を有する凹部が形成されており、その凹部内に棒状部材の端部が挿入されているように構成されていることが好ましい。このように、棒状部材と各基台部とを別々に形成することで、これらを容易に製造することができる。また、棒状部材を各基台部の凹部に差し込むだけで固定できるため、棒状部材を各基台部に容易に固定することができる。
【００１０】
また、上基台部材上に載置され、内部に被収納物を収納する収納箱をさらに備えており、これら収納箱及び内部に収納された被収納物の自重によって上基台部材を下基台部材側に押さえることができる。本発明では、下基台部材と上基台部材と間にロール紙を収納するが、被収納物が収納された収納箱を上基台部材上に載置して上基台部材を下基台部材側に押さえることによって、下基台部材と上基台部材との間でロール紙を堅固に挟持することができる。
【発明の効果】
【００１１】
本発明によれば、輸送コストを維持しつつ、コアレスロール紙を保持することのできる、ロール紙の梱包構造を提供することができる。
【発明を実施するための最良の形態】
【００１２】
以下、本発明に係るロール紙の梱包構造の実施形態について図面を参照しつつ説明する。図１は本実施形態に係るロール紙の梱包構造を示す正面断面図、図２は本実施形態に係る棒状部材が取り付けられた下基台部材の斜視図、図３は本実施形態に係る下基台部材の折り畳み前の状態（ａ）及び折り畳み後の状態（ｂ）を示す平面図、図４は、本実施形態に係る上基台部材の折り畳み前の状態（ａ）及び折り畳み後の状態（ｂ）を示す平面図、図５は、本実施形態に係る上基台部材の斜視図である。
【００１３】
図１に示すように、梱包構造１は、直方体状の外箱２を備えており、この外箱２内の底面上に下基台部材３が設置されている。この下基台部材３上にロール紙Ｒが配置され、そのロール紙Ｒの上に上基台部材４が設置されることで、下基台部材３と上基台部材４とによってロール紙Ｒを挟持している。このロール紙Ｒは、軸部分に巻芯を有していない、いわゆるコアレスロール紙である。棒状部材５は、このロール紙Ｒの空洞部Ｒ１内に挿入されるとともに、下端部が下基台部材３の中央部に形成された凹部３１に挿入され、上端部が上基台部材４の中央部に形成された凹部４１に挿入されている。このように、棒状部材５はロール紙Ｒを保持するとともに、下端部が下基台部材３に、上端部が上基台部材４に取り外し可能に固定されている。上基台部材４上にはインクリボン（被収納物）Ｔを収納した収納箱６が設置されている。
【００１４】
上記梱包構造１を構成する各部材の詳細について説明すると、まず、外箱２は、段ボールなどによって直方体状に構成され、いわゆる段ボール箱として構成されており、その上面はフラップ２１ａを折り曲げることによって開閉可能であり、底面はフラップ２１ｂを折り曲げることによって開閉可能である。なお、図１のようにロール紙Ｒを梱包した状態では、上面及び底面のフラップ部２１ａ、２１ｂはともに閉められており、ガムテープなどの接着テープを貼ることによって、その閉められた状態で保持されている。
【００１５】
この閉鎖された外箱２の底面に、下基台部材３が設置されている。図１及び図２に示すように、この下基台部材３は、平面視矩形状であり、外箱２の横断面形状とほぼ合致するような外形を有している。また、下基台部材３の中央部には凹部３１が形成されており、この凹部３１内に棒状部材５の下端部が挿入されている。ここで、棒状部材５の外径は基台部３１の凹部３１の内径とほぼ同一の寸法であるため、棒状部材５の下端部を凹部３１内に挿入した状態では、その下端部は凹部３１内に嵌合されて固定されている。
【００１６】
図３（ａ）に示すように、下基台部材３は、外箱２の横断面形状とほぼ合致するような外形を有する第１基台部３２及び第２基台部３３によって構成されている。第１基台部３２はその中央部に第１の貫通穴３１１が形成されており、また第２基台部３３も同様に中央部に第２の貫通穴３１２が形成されている。これら第１及び第２の貫通穴３１１、３１２は同一の形状となっており、その内径は、棒状部材５の外径と同一の寸法となっている。そして、第１基台部３２には、第１の貫通穴３１１を中心とした円周を画定するように切り込み３７が断続的に形成されている。この切り込み３７によって画定された円周の直径は、梱包するロール紙Ｒの直径と同じか、もしくはそれよりも一回り大きく形成されている。より好ましくは、この切り込み３７によって画定される円周は、梱包されるロール紙Ｒの直径よりも０．０５〜５ｍｍ程度大きい直径であることが好ましく、０．１〜３ｍｍ程度大きい直径であることがより好ましい。また、第１基台部３２と第２基台部３３とは、一体的に形成されており、例えば一枚の段ボールや発泡ポリプロピレン、発泡ポリエチレン、発泡スチロールなどによって形成することができる。そして、第１基台部３２と第２基台部３３との間には、裏まで貫通するように切り込みを入れることでＩ字状の切り込み線３４が形成されている。このＩ字状の切り込み線３４は、縦方向に延びる縦切り込み線３４１と、縦切り込み線３４１の上端及び下端に連結された横方向に延びる横切り込み線３４２ａ、３４２ｂとから構成されている。そして、横切り込み線３４２ａの右端及び左端のそれぞれから下基台部材３の上端まで延びる折り曲げ線３５ａが形成されるとともに、横切り込み線３４２ｂの右端及び左端からのそれぞれからは下基台部３の下端まで延びる折り曲げ線３５ｂが形成されている。この横切り込み線３４２ａ及び折り曲げ線３５ａによって、第１基台部３２と第２基台部３３とを連結する連結部３６ａが画定されており、横切り込み線３４２ｂ及び折り曲げ線３５ｂによって、第１基台部３２と第２基台部３３とを連結する連結部３６ｂが画定されている。この各連結部３６ａ、３６ｂの幅は、第１基台部３２と第２基台部３３の厚みを合計した寸法とほぼ同一とすることが好ましい。
【００１７】
この下基台部材３は、Ｉ字状の切り込み線３４及び折り曲げ線３５ａ、３５ｂによって、第１基台部３２が第２基台部３３に対して谷折りできるようになっている。すなわち、図３（ａ）にあるような折り曲げられていない状態から、第１基台部３２を第２基台部３３上に重なるように谷折りする（図２及び図３（ｂ））。このように第２基台部３３上に第１基台部３２が重なるように折り曲げられた状態では、第１の貫通穴３１１と第２の貫通穴３１２とが重なり、この第１及び第２の貫通穴３１１，３１２とによって凹部３１が構成されている。そして、このように折り曲げられた状態で、下基台部材３は外箱２内に設置されている。
【００１８】
図１及び図２に戻って説明を続けると、このように構成された下基台部材３の凹部３１に棒状部材５の下端部が挿入することで棒状部材５が下基台部材３に取り外し可能に固定されている。この棒状部材５は、円筒状に形成されており、その外径はロール紙Ｒの中空部Ｒ１の内径とほぼ同一の寸法に形成されている。好ましくは、棒状部材５の外径は、ロール紙Ｒの中空部Ｒ１の内径との差を±０．３〜１．０とし、より好ましくは、±０．３〜０．５ｍｍとする。このように棒状部材５の外径がロール紙Ｒの中空部Ｒ１の内径とほぼ同一の寸法に形成されているため、ロール紙Ｒの中空部Ｒ１内に棒状部材５を挿入すると、ロール紙Ｒは棒状部材５によって保持される。また、棒状部材５は、梱包されるロール紙Ｒの軸方向の長さよりも長くなるよう形成されている。詳細には、棒状部材５は、ロール紙Ｒの軸方向の長さと、下基台部材３の凹部３１の深さと、上基台部材４の凹部４１の深さと、を合計した長さとすることが好ましいが、少なくともロール紙Ｒの軸方向の長さと下基台部材３の凹部３１の深さとを合計した長さよりも長くしていればよい。このような長さとすることで、棒状部材５は、ロール紙Ｒの中空部Ｒ１内に挿入した状態でその両端部がロール紙Ｒの上面及び下面からそれぞれ突出している。このロール紙Ｒから突出した棒状部材５の両端部を各基台部材３，４の凹部３１，４１内に挿入することで、棒状部材５を各基台部材３，４に取り外し可能に固定することができる。なお、この棒状部材５の材質は紙とすることが好ましい。また紙以外に、プラスティック部材としてはアクリロ.ニトリルブタジエンスチレン（ＡＢＳ）、ポリスチレン（ＰＳ）、ポリプロピレン（ＰＰ）とすることが好ましい。
【００１９】
棒状部材５が挿入されたロール紙Ｒを、下基台部材３とで挟持するように、ロール紙Ｒ上に上基台部材４が設置されている。この上基台部材４は、図４及び図５に示すように、上述した下基台部材３と同一の形状をしており、外箱２の横断面形状とほぼ合致するような外形を有する第１基台部４２と第２基台部４３とから構成されている。
【００２０】
図４（ａ）に示すように、第１基台部４２の中央部には棒状部材５の外径とほぼ同一の内径を有する第１の貫通穴４１１が形成されており、第２基台部４３の中央部にも同様の内径を有する第２の貫通穴４１２が形成されている。そして、第１基台部４２には、上述した下基台部材３に形成された切り込み３７と同様の切り込み４７が形成されている。第１基台部４２と第２保持部材４３とは一体的に形成されており、第１基台部４２と第２基台部４３との間には、縦切り込み線４４１と横切り込み線４４２ａ、４４２ｂとからなるＩ字状の切り込み線４４と、折り曲げ線４５ａ、４５ｂとが形成されている。これら横切り込み線４４２ａ及び折り曲げ線４５ａによって連結部４６ａが形成されており、また、横切り込み線４４２ｂ及び折り曲げ線４５ｂによって連結部４６ｂが形成されている。この各連結部４６ａ、４６ｂによって第１基台部４２と第２基台部４３とが連結されている。
【００２１】
そして、Ｉ字状の切り込み線４４及び折り曲げ線４５ａ、４５ｂによって、第１基台部４２が第２基台部４３に対して谷折りできるようになっている。すなわち、図４（ａ）にあるような折り曲げられていない状態から、第１基台部４２を第２基台部４３上に重なるように谷折りする（図４（ｂ）及び図５）。このように折り曲げられた状態で上基台部材４は外箱２内に設置される。なお、このように折り曲げられた状態では、第１基台部４２の第１の貫通穴４１１と第２基台部４３の第２の貫通穴４１２とが重なり、この第１及び第２の貫通穴４１１，４１２とによって凹部４１が構成されている。
【００２２】
以上のように構成された上基台部材４を外箱２内に設置し、凹部４１内に棒状部材５の上端部を挿入することで、棒状部材５の外径と凹部４１の内径とがほぼ同一の寸法であるため、棒状部材５の上端部が凹部４１内に嵌合して取り外し可能に固定される。このように棒状部材５の上端部を固定した上基台部材４上には、図６から図８に示すようなインクリボンなどを収納するための収納箱６が設置されている。図６は、本実施形態に係る収納箱の平面図、図７は収納箱の斜視図、図８はインクリボンが収納された収納箱の正面断面図である。図６及び図７に示すように、収納箱６は、内部にインクリボンＴを収納できるように直方体状に形成された箱本体部６１と、箱本体部６１の側面から外方に延びる４つの羽根部６２とから構成されている。収納箱６は、図１の左右方向には羽根部６２によって外箱２内に嵌合しており、図１の奥行き方向には箱本体部６１によって外箱２内に嵌合している。なお、このように収納箱６は外箱２内に嵌合しており水平方向には固定されているが、垂直方向には収納箱６及びインクリボンＴの自重によって移動可能となっている。この箱本体部６１内にはインクリボンＴが包装シート８によって包装された状態で収納されている。より詳細には、図８に示すように、インクリボンＴは、供給ロール部Ｔ１と巻取ロール部Ｔ２とから構成されている。この供給ロール部Ｔ１と巻取ロールＴ２との間には緩衝シート７が介在されており、この状態で、包装シート８がインクリボンＴ全体を覆っている。なお、この包装シート８は、インクリボンＴを保護できるような材質であれば特に限定されるものではないが、好ましくは、ポリエチレンや発泡ポリエチレン等を使用することが好ましい。ポリエチレンとしてはミラーマット、発泡ポリエチレンとしてはエアーキャップ（登録商標）等を使用することができる。また、この収納箱６は、本実施形態ではインクリボンを収納するために使用しているが、特にインクリボンを収納することに限定されるものではなく、その他のものを収納してもよい。
【００２３】
次に、上述したロール紙の梱包構造１を使用した梱包方法について図面を参照しつつ説明する。まず、図１に示すように、外箱２を準備し、フラップ２１ｂを閉じた状態でガムテープを貼って底面を形成する。そして、下基台部材３を外箱２内に挿入し、下面が外箱２の底面に接するまで下基台部材３を押し込む。このように、下基台部材３を外箱２内に設置したとき、下基台部材３の基台部３１の外形は外箱２の底面の形状に合致しているので、下基台部材３は外箱２内に嵌合されて固定されている。なお、下基台部材３は、外箱２内に設置されたとき、切り込み３７が形成された第１基台部３２が上方、すなわちロール紙Ｒ側を向いている。
【００２４】
続いて、梱包対象のロール紙Ｒを準備し、その中空部Ｒ１内に棒状部材５挿入し、この棒状部材５が挿入されたロール紙Ｒを外箱２内に収納する。このとき、ロール紙Ｒの中空部Ｒ１から突出した棒状部材５の下端部が下基台部材３の凹部３１内に挿入されるようにロール紙Ｒを外箱２内に収納する。このように下基台部材３及び棒状部材５によって保持されたロール紙Ｒの上端から突出した棒状部材５の上端部に凹部４１が挿入されるように上基台部材４を外箱２内に設置する。なお、上基台部材４を外箱２内に設置したとき、切り込み４７が形成された第１基台部４２が下方、すなわちロール紙Ｒ側を向いている。上基台部材４の外形は、外箱２の横断面形状とほぼ同一の形状であるため、上基台部材４は外箱２内に嵌合されて固定される。さらに、この外箱２内に嵌合固定された上基台部材４の凹部４１の内径は、棒状部材５の外径とほぼ同一の寸法であるため、棒状部材５の上端部は上基台部材４の凹部４１内に嵌合して取り外し可能に固定される。
【００２５】
さらに続いて、インクリボンＴを、包装シート８で覆うように包装して収納箱６の箱本体部６１内に収納する。そして、このような状態でインクリボンＴが収納された収納箱６を外箱２内に収納し、収納箱６を外箱２内の上基台部材４上に載置する。この状態で収納箱６は、箱本体部６１及び４本の羽根部６２によって外箱２内に嵌合されるため、外箱２内の水平方向には移動できないよう固定されている。また、収納箱６を外箱２内に収納したとき、収納箱６及びこの内部に収納されたインクリボンＴの自重によって、上基台部材４は下基台部材３側に押さえられるため、下基台部材３と上基台部材４とでロール紙Ｒをしっかりと挟持することができる。このように下基台部材３と上基台部材４とでロール紙Ｒを挟持した状態では、各基台部材３、４の切り込み３７，４７によって囲まれた領域内にロール紙Rの下面及び上面が収まるように構成されている。そして、最後に外箱２のフラップ２１ａを閉じてガムテープを貼ることで、外箱２の上面を閉鎖する。
【００２６】
以上のように、本実施形態によれば、まず、ロール紙Rの中空部R１内に棒状部材５を挿入し、この棒状部材５の下端部を下基台部材３で、上端部を上基台部材４で固定しているため、ロール紙Ｒを外箱２内に固定することができる。このようなにロール紙Ｒの外周面を保持してロール紙Ｒを固定する必要がないため、下基台部材３及び上基台部材４の大きさを小さくすることができる。また、各基台部材３，４は、切り込み３７，４７が形成されていることで、この切り込み３７，４７によって画定された領域内の外周縁部は凹みやすくなっている。このため、ロール紙Ｒが上下方向に移動しようとした場合や、ロール紙Ｒが上面又は下面のエッジ部分を基点として傾斜するような動きをしようとした場合であっても、そのロール紙Ｒの動きを吸収して、ロール紙Ｒの上面及び下面や、エッジ部分にかかる圧力を緩和することができ、ひいてはロール紙Ｒのエッジ部分の変形を防止することができる。
【００２７】
以上、本発明の実施形態について説明したが、本発明はこれらに限定されるものではなく、本発明の趣旨を逸脱しない限りにおいて種々の変更が可能である。例えば、上記実施形態では、各基台部材３，４ともに、凹部３１，４１が貫通穴となっているが、図９に示すように、凹部３１，４１は貫通穴でなくてもよい。
【００２８】
また、上記実施形態では、下基台部材３又は上基台部材４と、棒状部材５とは別体として形成されているが、例えば下基台部材３と棒状部材５とを一体として形成したり、もしくは上基台部材４と棒状部材５とを一体として形成することもできる。
【００２９】
また、上記実施形態では、下基台部材３や上基台部材４は一枚の段ボールを折り曲げた構成を取っているが、この構成に限定されるものではなく、例えば、これら各基台部材３，４を折り曲げていない構成とすることもできる。この場合、各基台部材３、４は、凹部３１、４１内で棒状部材５を十分に固定できるような厚さを有していることが好ましい。
【００３０】
また、上記実施形態では、梱包方法として、ロール紙Ｒの中空部Ｒ１内に棒状部材５を挿入してからロール紙Ｒを外箱２内に収納しているが、特にこの順序に限定される物でなく種々の順序をとることができる。例えば、外箱２内に設置された下基台部材３の凹部３１内にまず棒状部材５の下端部を挿入し、その後、この棒状部材５が中空部Ｒ１内に挿入されるようにロール紙Ｒを外箱２内に収納することもできる。その他にも例えば、下基台部材３上にまずロール紙Ｒを設置し、下基台部材３の凹部３１とロール紙Ｒの中空部Ｒ１とが一致するようにセットし、それから棒状部材５をロール紙Ｒの中空部Ｒ１内に挿入して、さらにそのまま棒状部材５の下端部を下基台部材３の凹部３１内に挿入することもできる。
【００３１】
また、上記実施形態では、包装シート８は、インクリボンＴを覆っているのみであるが、例えば図１０に示すように、一旦インクリボンＴを覆い、余った部分を丸めた状態にしインクリボンＴに隣接するような状態で収納箱６内に収納することもできる。
【００３２】
また、上記実施形態では、上基台部材４上に収納箱６を載置し、収納箱６及びその内部のインクリボンＴの自重で上基台部材４を下基台部材３側に押さえることによって、下基台部材３と上基台部材４とでロール紙Ｒを堅固に挟持しているが、特にこれに限定されるものではない。例えば、上基台部材４の寸法を、外箱２内に堅固に嵌り上下方向の移動が妨げられるような寸法とすることによって、下基台部材３と上基台部材４とでロール紙Ｒを堅固に挟持するような位置に上基台部材４を固定することができる。この場合は、収納箱６及びその内部のインクリボンＴによって上基台部材４を下基台部材３側に押さえつける必要がないため、収納箱６を省略し、その分だけ外箱２の高さを低くすることもできる。
【００３３】
また、図１１に示すように、各基台部材３，４の側面に半円状などの形状をした切欠部を形成することもできる。このように切欠部が形成されていることで、作業者が指を入れて各基台部材３，４を外箱２から取り出し易くし、作業性を向上させることができる。
【００３４】
また、上記実施形態では、各基台部材３，４には切り込み３７，４７が断続的に形成されているが、これを連続的に形成したり、または、いわゆるミシン目線のようにもっと細かく断続的に形成することもできる。また、上記実施形態では、切り込み３７，４７は、第１基台部３２、４２を貫通するように形成されているが、いわゆるハーフカットとして、第１基台部３２，４２を貫通しないような切り込みとして形成することもできる。
【００３５】
また、上記実施形態では、棒状部材５の上端は、上基台部材４の上面と面一の状態にあるが、上基台部材４の上面から突出するような長さであってもよい。
【図面の簡単な説明】
【００３６】
【図１】本発明に係るロール紙の梱包構造の実施形態を示す正面断面図である。
【図２】本実施形態に係る下部保持部材を示す斜視図である。
【図３】本実施形態に係る下部保持部材の基台部の折り畳み前（ａ）及び折り畳み後（ｂ）を示す平面図である。
【図４】本実施形態に係る上基台部材の折り畳み前（ａ）及び折り畳み後（ｂ）を示す平面図である。
【図５】本実施形態に係る上基台部材を示す斜視図である。
【図６】本実施形態に係る収納箱を示す平面図である。
【図７】本実施形態に係る収納箱を示す斜視図である。
【図８】本実施形態に係る包装シートによって包装されたインクリボンが収納された収納箱の正面断面図である。
【図９】本発明に係るロール紙の梱包構造の他の実施形態を示す正面断面図である。
【図１０】他の実施形態に係る包装シートによって包装されたインクリボンが収納された収納箱の正面断面図である。
【図１１】別の実施形態に係る下基台部材（上基台部材）の折り畳み前（ａ）及び折り畳み後（ｂ）を示す平面図である。
【符号の説明】
【００３７】
１  梱包構造
２  外箱
３  下基台部材
３１  凹部
３７  切り込み
４  上基台部材
４１  凹部
４７  切り込み
５  棒状部材
６  収納箱
Ｒ  ロール紙
Ｒ１  中空部
Ｔ  インクリボン（被収納物）
【図１】
0005034915.tif 000002
【図２】
0005034915.tif 000003
【図３】
0005034915.tif 000004
【図４】
0005034915.tif 000005
【図５】
0005034915.tif 000006
【図６】
0005034915.tif 000007
【図７】
0005034915.tif 000008
【図８】
0005034915.tif 000009
【図９】
0005034915.tif 000010
【図１０】
0005034915.tif 000011
【図１１】
0005034915.tif 000012